(57)【要約】【課題】  日本語の使用実態に合わせ、キー操作の回数を削減できる、文字の入力・変換機能を有する携帯端末、文字の入力・変換方法及びそのためのプログラムを提供する。【解決手段】  キー設定部２０は、文字入力用のキーに「あ」行から「わ」行の文字を行毎に割り付け、各キーを押下する毎に各行の文字を切替えて行く循環表示を設定する。この循環表示として「あ」段、「い」段、「う」段、「え」段、「お」段の順とする表示モード及び「あ」段、「お」段、「い」段、「う」段、「え」段の順とする表示モードを設定でき、「わ」行を「わをん」順とする表示モード及び「んわを」順とする表示モードを設定できる。【選択図】        図２
2005316840.tif 000002
【特許請求の範囲】
【請求項１】
文字の入力・変換機能を有する携帯端末であって、
文字入力用のキーに「わ」行を割り付け、キーを押下する毎に当該キーに割り付けられた「わ」行の文字を循環表示するキー表示管理手段を備え、
前記キー表示管理手段は、「わ」行の循環表示において撥音を先頭に表示させることを特徴とする携帯端末。
【請求項２】
文字の入力・変換機能を有する携帯端末であって、
文字入力用のキーに「あ」行から「ら」行の文字を行毎に割り付け、各キーを押下する毎に当該キーに割り付けられた各行の文字を循環表示するキー表示管理手段を備え、
前記キー表示管理手段は、各行の「あ」段の次に「お」段を表示することを特徴とする携帯端末。
【請求項３】
請求項２記載の文字の入力・変換機能を有する携帯端末において、前記キー表示管理手段は、キーを押下する毎に「あ」段、「い」段、「う」段、「え」段、「お」段の順及び「わ」行を「わをん」順とする表示モードと「あ」段、「お」段、「い」段、「う」段、「え」段の順及び「わ」行を「んわを」順とする表示モードとを切替設定できることを特徴とする文字の入力・変換機能を有する携帯端末。
【請求項４】
文字の入力・変換方法であって、
文字入力用のキーに「わ」行を割り付け、キーを押下する毎に当該キーに割り付けられた「わ」行の文字を循環表示するキー表示管理ステップにおいて、「んわを」順に循環表示することを特徴とする文字の入力・変換方法。
【請求項５】
コンピュータを文字の入力・変換機能を有する装置として機能させるプログラムであって、文字入力用のキーに「わ」行を割り付け、キーを押下する毎に当該キーに割り付けられた「わ」行の文字を循環表示する際に、「んわを」順に循環表示することを特徴とするプログラム。
【発明の詳細な説明】
【技術分野】
【０００１】
本発明は、文字の入力・変換機能を有する携帯端末、文字の入力・変換方法及びそのためのプログラムの改良に関する。
【背景技術】
【０００２】
従来より、電子メール機能等を有し、そのための文字入力機能が備えられている携帯端末が使用されている。これらの携帯端末において、文字入力は、所定のキーを押下する毎に所定の文字が循環表示され、使用者が所望の文字を選択するマルチタップ方式で行うのが一般的である。下記特許文献１には、このようなマルチタップ方式による文字入力の効率化を図るための技術が開示されている。
【特許文献１】特開２００３−２１９０１２号公報
【非特許文献１】「マルチタップ入力から見た日本語の文字使用の実態に関する研究」加藤重広（電気通信普及財団研究調査報告書第１８号）
【発明の開示】
【発明が解決しようとする課題】
【０００３】
しかし、上記従来の技術においては、マルチタップ方式で採用されている文字の循環表示の順序が、現代の日本語における文字の使用実態に適合していないという問題があった。例えば、上記非特許文献１には、日本語の文字使用の実態の研究結果が記載されているが、「あ」段の次に使用頻度が高いのは「い」段ではなく「お」段である。ところが、通常のマルチタップ方式においては、「あいうえお」の順で循環表示されており、その結果、文字入力時のキー操作回数の増加を招いている。
【０００４】
また、上記特許文献１では、所定のキーを押下すると、循環表示の順序が「えおあいう」となる構成が採用されているが、最も使用頻度の高い「あ」段が３番目になるので、必ずしも上記日本語の使用実態に即しているとは言えず、しかも「えおあいう」の順序で表示させるには所定のキーを押下する必要があり、キー操作の回数の削減は十分とは言えなかった。
【０００５】
本発明は、上記従来の課題に鑑みなされたものであり、その目的は、日本語の使用実態に合わせ、キー操作の回数を削減できる、文字の入力・変換機能を有する携帯端末、文字の入力・変換方法及びそのためのプログラムを提供することにある。
【課題を解決するための手段】
【０００６】
上記目的を達成するために、本発明は、文字の入力・変換機能を有する携帯端末であって、文字入力用のキーに「わ」行を割り付け、キーを押下する毎に当該キーに割り付けられた「わ」行の文字を循環表示するキー表示管理手段を備え、前記キー表示管理手段は、「わ」行の循環表示において撥音を先頭に表示させることを特徴とする。
【０００７】
また、本発明は、文字の入力・変換機能を有する携帯端末であって、文字入力用のキーに「あ」行から「ら」行の文字を行毎に割り付け、各キーを押下する毎に当該キーに割り付けられた各行の文字を循環表示するキー表示管理手段を備え、前記キー表示管理手段は、各行の「あ」段の次に「お」段を表示することを特徴とする。
【０００８】
また、上記キー表示管理手段は、キーを押下する毎に「あ」段、「い」段、「う」段、「え」段、「お」段の順及び「わ」行を「わをん」順とする表示モードと「あ」段、「お」段、「い」段、「う」段、「え」段の順及び「わ」行を「んわを」順とする表示モードとを切替設定できるのが好適である。
【０００９】
また、本発明は、文字の入力・変換方法であって、文字入力用のキーに「わ」行を割り付け、キーを押下する毎に当該キーに割り付けられた「わ」行の文字を循環表示するキー表示管理ステップにおいて、「んわを」順に循環表示することを特徴とする。
【００１０】
また、本発明は、コンピュータを文字の入力・変換機能を有する装置として機能させるプログラムであって、文字入力用のキーに「わ」行を割り付け、キーを押下する毎に当該キーに割り付けられた「わ」行の文字を循環表示する際に、「んわを」順に循環表示することを特徴とする。
【発明の効果】
【００１１】
本発明によれば、各行の文字を循環表示する際に、各行の「あ」段の次に「お」段を表示するので、使用頻度の高い「お」段の文字を選択するのに必要なキーの押下回数を減らすことができ、文字入力のためのキーの押下回数を減少できる。
【発明を実施するための最良の形態】
【００１２】
以下、本発明を実施するための最良の形態（以下、実施形態という）を、図面に従って説明する。
【００１３】
図１には、本発明にかかる文字の入力・変換機能を有する携帯端末の一実施形態の構成のブロック図が示される。図１において、携帯端末は、表示部１０、操作部１２、記憶部１４、通信部１６及び制御部１８で構成されている。
【００１４】
表示部１０は、例えば液晶ディスプレイ等で構成され、文字データ等のキー入力の内容、各種図形等を表示する。なお、本発明をパーソナルコンピュータ等に適用した場合には、表示部１０をＣＲＴ等で構成することもできる。上記キー入力は、図１の操作部１２により行う。この操作部１２は、例えば携帯端末の操作ボタン（テンキー、十字キー、確定キー）等により構成されるが、本発明をパーソナルコンピュータ等に適用した場合には、キーボード、マウス等の領域指定手段、バーコードリーダ等により構成することもできる。
【００１５】
記憶部１４は、例えば制御部１８の作業用のＲＡＭ、不揮発性メモリとしてのＥＥＰＲＯＭ、磁気記憶媒体等で構成されており、キー入力の内容等の各種データが記憶される。
【００１６】
通信部１６は、公知の方法により基地局と通信して携帯通信端末としての通話機能を実現している。なお、本発明をＰＤＡ（パーソナルデジタルアシスタンス）、パーソナルコンピュータ等に適用した場合には、通信部１８は必ずしも必要ではない。
【００１７】
制御部１８は、例えばＣＰＵ等で構成され、表示部１０、操作部１２、記憶部１４及び通信部１６とデータのやり取りを行いながらこれらの動作を制御する。
【００１８】
制御部１８のキー設定部２０は、文字入力用のキーに「あ」行から「わ」行の文字を行毎に割り付け、各キーを押下する毎に各行の文字を切替えて行く順序を設定する処理を制御する。本発明においては、キーを押下する毎に各行の文字を切替えて行く順序として「あ」段、「い」段、「う」段、「え」段、「お」段の順とする表示モード及び「あ」段、「お」段、「い」段、「う」段、「え」段の順とする表示モードを設定することができる。また、「わ」行を「わをん」順とする表示モード及び「んわを」順とする表示モードを設定できる。これらの表示モードは、後述する切替え画面の操作により切替えることができる。
【００１９】
表示制御部２２は、主として表示部１０に表示される内容を制御する。また、文字入力用のキーを押下する毎に、各行の文字を上記キー設定部２０で設定した順序で循環表示する処理も制御する。上記キー設定部２０及び表示制御部２２により、本発明に係るキー表示管理手段を構成する。
【００２０】
判定部２４は、上記キー設定部２０で設定した文字の切替え順序のモードがいずれであるか等の判定を実行するための制御を行う。
【００２１】
図２には、携帯端末に使用される操作部１２のキー配列の例が示される。図２において、テンキーには「あ」行から「ら」行及び「わおん」が行毎に異なるキー（１から０）に割り付けられ、＊キー及び＃キーには、濁音記号その他の記号が割り付けられている。
【００２２】
図３及び図４には、各キーに割り付けられた行及び各キーを押下する毎に各行の文字を切替えて行く順序の例が示される。図３が従来の設定であり、図４が本発明の設定である。これらの文字の切替え順序のデータは、記憶部１４に記憶され、キー設定部２０により図３または図４の文字の切替え順序が読み出されて設定され、表示制御部２２により本発明の文字の循環表示が実行される。
【００２３】
図３及び図４において、１，２，３，４等のテンキーには「全角かな」の入力モードでは「あ」行、「か」行、「さ」行、「た」行等が割り付けられており、「半角カナ」の入力モードでは「ア」行、「カ」行、「サ」行、「タ」行等が割り付けられている。また、「半角英数」の入力モードでは数字及び「ａ」、「ｄ」等が割り付けられている。図４に示された本発明の文字の割付で特徴的な点は、各キーに割り付けられた行において、キーの押下に伴い切替えられる各段の文字の表示順序が、「あ」段の次に「お」段とされている点である。例えば、「あ」行の場合にはキーの押下回数の増加に伴い「あおいうえ」の順序で循環表示され、「か」行の場合には「かこきくけ」の順序で循環表示される。また、０のキーに割り付けられた「わ」行は、「んわを」の順序（撥音が先頭）で循環表示される。なお、「半角カナ」の入力モードの場合にも、同様の文字の循環表示の順序が設定される。
【００２４】
このように、「あ」段の次に「お」段とする循環表示の順序及び「んわを」の循環表示の順序とすることにより、使用頻度の高い「お」段及び「ん」を選択する際のキーの押下回数を減らすことができる。
【００２５】
前述した非特許文献１によれば、通常の文章において、「あ」段の出現確率は２８％、「い」段の出現確率は２１％、「う」段の出現確率は１６％、「え」段の出現確率は１４％、「お」段の出現確率は２１％である。この調査結果によれば、キーを押下する毎に「あ」段、「い」段、「う」段、「え」段、「お」段の順で循環表示する従来の方法では、それぞれの段の文字を表示するためのキーの押下回数の期待値は、表１のようになる。
【００２６】
【表１】
2005316840.tif 000003
【００２７】
表１の結果から、全段についてのキーの押下回数の期待値は、
期待値＝０．２８＋０．４２＋０．４８＋０．５６＋１．０５＝２．７９
となる。
【００２８】
これに対して、キーを押下する毎に「あ」段、「お」段、「い」段、「う」段、「え」段の順で循環表示する本発明の方法では、それぞれの段の文字を表示するためのキーの押下回数の期待値は、表２のようになる。
【００２９】
【表２】
2005316840.tif 000004
【００３０】
表２の結果から、全段についてのキーの押下回数の期待値は、
期待値＝０．２８＋０．６３＋０．６４＋０．７０＋０．４２＝２．６７
となる。
【００３１】
以上の結果から、本発明の循環表示の順序によれば、「あ」行から「ら」行の文字を循環表示させる場合のキーの押下回数は、従来の循環表示の順序の場合に較べて
２．６７／２．７９＝０．９５７（９５．７％）
に減少することがわかる。
【００３２】
また、「わ」行の場合は、前述した非特許文献１によれば、通常の文章において、「わ」及び「を」の出現率に対して撥音「ん」の出現率は８倍となっている。この調査結果によれば、キーを押下する毎に「わをん」の順で循環表示する従来の方法では、「わ」と「を」が１回ずつ出現する際に「ん」はそれぞれ８回出現するとして、それぞれの文字を表示するためのキーの押下回数は表３のようになる。
【００３３】
【表３】
2005316840.tif 000005
【００３４】
表３の結果から、「わ」と「を」がそれぞれ１回ずつ出現する文章で「わ」、「を」、「ん」を表示する場合のキーの押下回数は、
押下回数＝４８＋１＋２＝５１回
となる。
【００３５】
これに対して、キーを押下する毎に「んわを」の順で循環表示する本発明の方法では、それぞれの文字を表示するためのキーの押下回数は表４のようになる。
【００３６】
【表４】
2005316840.tif 000006
【００３７】
表４の結果から、「わ」と「を」がそれぞれ１回ずつ出現する文章で「わ」、「を」、「ん」を表示する場合のキーの押下回数は、
押下回数＝１６＋２＋３＝２１
となる。
【００３８】
以上の結果から、本発明の循環表示の順序によれば、「んわを」の順で「わ」行の文字を循環表示する場合のキーの押下回数は、従来の「わをん」の順で循環表示する場合に較べて
２１／５１＝０．４１２（４１．２％）
に減少することがわかる。
【００３９】
図５には、以上に説明した、キーを押下する毎に「あ」行から「ら」行を「あ」段、「い」段、「う」段、「え」段、「お」段の順及び「わ」行を「わをん」順で循環表示する表示モードと、「あ」行から「ら」行を「あ」段、「お」段、「い」段、「う」段、「え」段の順及び「わ」行を「んわを」順で循環表示する表示モードとを切替設定するための画面の例が示される。なお、この設定画面の表示は、表示制御部２２により制御され、表示部１０に表示される。
【００４０】
図５において、循環表示（お段）には、「あ」行から「ら」行の循環表示（「あいうえお」または「あおいうえ」）の切替えボタンが設定され、循環表示（撥音）には、「わ」行の循環表示（「わをん」または「んわを」）の切替えボタンが設定されている。使用者は、これらの切替えボタンにより適宜上記表示モードの切替設定を行うことができ、自分が入力しやすい所望の表示モードで文字入力を行うことができる。
【００４１】
図６及び図７には、図５に示された設定画面により表示モードの設定が行われたときの、本実施形態に係る携帯端末の動作のフローが示される。図６は、「あ」行から「ら」行の循環表示の切替え動作であり、図７は「わ」行の循環表示の切替え動作である。
【００４２】
図６において、図５の設定画面で循環表示（お段）が「あおいうえ」に設定されているか否かを、判定部２４が判定する（Ｓ１）。
【００４３】
Ｓ１で、循環表示（お段）が「あおいうえ」に設定されていると判定された場合は、キー設定部２０が、記憶部１４から図４に示されたデータテーブルを読み出し、「あ」行から「ら」行の循環表示を「あ」段、「お」段、「い」段、「う」段、「え」段の順で循環表示する表示モードに設定する（Ｓ２）。
【００４４】
一方、Ｓ１において、循環表示（お段）が「あおいうえ」に設定されていないと判定された場合は、キー設定部２０が、記憶部１４から図３に示されたデータテーブルを読み出し、「あ」行から「ら」行の循環表示を「あ」段、「い」段、「う」段、「え」段、「お」段の順で循環表示する表示モードに設定する（Ｓ３）。
【００４５】
以上により、キーを押下する毎に「あ」段、「い」段、「う」段、「え」段、「お」段の順で循環表示する表示モードと「あ」段、「お」段、「い」段、「う」段、「え」段の順で循環表示する表示モードとを切替設定することができる。なお、このような表示モードの切替設定は、「全角かな」の入力モードだけでなく、「半角カナ」の入力モードにおいても行うことができる。
【００４６】
また、図７において、図５の設定画面で循環表示（撥音）が「んわを」に設定されているか否かを、判定部２４が判定する（Ｓ１０）。
【００４７】
Ｓ１０で、循環表示（撥音）が「んわを」に設定されていると判定された場合は、キー設定部２０が、記憶部１４から図４に示されたデータテーブルを読み出し、「わ」行の循環表示を「んわを」順で循環表示する表示モードに設定する（Ｓ１１）。
【００４８】
一方、Ｓ１０において、循環表示（撥音）が「んわを」に設定されていないと判定された場合は、キー設定部２０が、記憶部１４から図３に示されたデータテーブルを読み出し、「わ」行の循環表示を「わをん」の順で循環表示する表示モードに設定する（Ｓ１２）。
【００４９】
以上により、キーを押下する毎に「んわを」順で循環表示する表示モードと「わをん」順で循環表示する表示モードとを切替設定することができる。なお、このような循環表示モードの切替設定は、「全角かな」の入力モードだけでなく、「半角カナ」の入力モードにおいても行うことができる。
【００５０】
本実施形態では、「全角かな」、「半角カナ」のように同じかな入力モード内で表示モードの切替設定を実施することができ、文字入力中に所望の循環表示の順序が維持される。このため、従来技術のように文字入力中に循環表示の順序の変更が必要となる度に所定のキー操作が要求されることがなく、この点でも文字入力中のキーの押下回数を抑制できる。
【００５１】
以上に説明した実施形態は、日本語（５０音）を入力する場合の例であるが、英文字のアルファベットについても、同様の調査により適宜順序を変更するのが好適である。例えば、メールアドレスやブラウジング機能のＵＲＬを入力する場合の英文字の出現頻度に応じて、図３及び図４に示された「半角英数」の入力モードにおけるアルファベットの循環表示の順序を変更できるように構成するのが好適である。
【図面の簡単な説明】
【００５２】
【図１】本発明にかかる文字の入力・変換機能を有する携帯端末の一実施形態の構成のブロック図である。
【図２】図１に示された携帯端末に使用される操作部のキー配列の例を示す図である。
【図３】図２に示された各キーに割り付けられた行及び各キーを押下する毎に各行の文字を切替えて行く順序の例を示す図である。
【図４】図２に示された各キーに割り付けられた行及び各キーを押下する毎に各行の文字を切替えて行く順序の例を示す図である。
【図５】文字の循環表示の順序が異なるかな入力モードを切替設定するための画面の例を示す図である。
【図６】図５に示された設定画面により入力モードの設定が行われたときの、本実施形態に係る携帯端末の動作のフロー図である。
【図７】図５に示された設定画面により入力モードの設定が行われたときの、本実施形態に係る携帯端末の動作のフロー図である。
【符号の説明】
【００５３】
１０  表示部、１２  操作部、１４  記憶部、１６  通信部、１８  制御部、２０  キー設定部、２２  表示制御部、２４  判定部。
【図１】
2005316840.tif 000007
【図２】
2005316840.tif 000008
【図３】
2005316840.tif 000009
【図４】
2005316840.tif 000010
【図５】
2005316840.tif 000011
【図６】
2005316840.tif 000012
【図７】
2005316840.tif 000013